(57)【要約】  液体フィルタ構造が説明及び図示される。構造は、一般に、フィルタヘッドと、シールアダプタと、カートリッジを封入するシェルを具備するフィルタ部材とを含む。フィルタカートリッジとフィルタヘッドとの間の境界面に関する独自の特徴が提供される。独自のフィルタヘッドの特徴及びカートリッジの特徴が更に提供される。【選択図】図３
2009515699.tif 000002
【特許請求の範囲】
【請求項１】
フィルタヘッドと液体フィルタ部材とを備える液体フィルタ構造であって、
（ａ）前記フィルタヘッドは、
（ｉ）液体流れ入口及び液体流れ出口とを含む第１のヘッド部分と、
（ｉｉ）第１のねじ部分及び第２のシール面を含む外面を有する外側リングを備える第２のヘッド部分であって、（Ａ）前記第１のねじ部分が前記第２のシール面と前記第１のヘッド部分との間に軸方向に配置される、第２のヘッド部分と、
（ｉｉｉ）前記第２のヘッド部分により取囲まれ且つ前記第２のヘッド部分から半径方向内側に離間するように前記第１のヘッド部分に配置された中央突起部であって、（Ａ）前記中央突起部が内側に向いたカートリッジシール面を規定する、中央突起部と、
を含み、
（ｂ）前記液体フィルタ部材は、
（ｉ）内部を規定する側壁及び開いた端部を有する外側シェルであって、（Ａ）前記液体フィルタ部材と前記第２のヘッド部分の前記第２のシール面との間にシールリングが配置された状態で、前記フィルタヘッドに螺合自在に装着された、外側シェルと、
（ｉｉ）前記外側シェルの前記内部の中に配置されたフィルタカートリッジであって、（Ａ）第１のエンドキャップと第２のエンドキャップとの間に延出する媒体を備え、（Ｂ）前記第１のエンドキャップが、中央開口部を有する開いたエンドキャップであって、軸方向外側へ突出するシールマウントを前記中央開口部の上に含み、（Ｃ）前記フィルタカートリッジは、前記軸方向外側へ突出するシールマウントに装着され且つ前記第１のヘッド部分の前記中央突起部の前記内側に向いたカートリッジシール面に対して密封されたシールを含むフィルタカートリッジと、
を備え、
（ｃ）前記フィルタヘッドは、前記フィルタヘッドの外面に固着され、前記液体フィルタ部材の前記外側シェルに隣接する場所まで突出する少なくとも１つのガイド突起部を含む、
ことを特徴とする液体フィルタ構造。
【請求項２】
フィルタヘッドと液体フィルタ部材とを備える液体フィルタ構造であって、
（ａ）前記フィルタヘッドは、
（i）液体流れ入口及び液体流れ出口を含む第１のヘッド部分と、
（ｉｉ）第１のねじ部分及び第２のシール面を含む外面を有する外側リングを備える第２のヘッド部分であって、（Ａ）前記第１のねじ部分が前記第２のシール面と前記第１のヘッド部分との間に軸方向に配置される、第２のヘッド部分と、
（ｉｉｉ）前記第２のヘッド部分により取囲まれ且つ前記第２のヘッド部分から半径方向内側に離間するように前記第１のヘッド部分に配置された中央突起部であって、（Ａ）前記中央突起部が内側に向いたカートリッジシール面を規定する、中央突起部と、
を含み、
（ｂ）前記液体フィルタ部材は、
（i）内部を規定する側壁及び開いた端部を有する外側シェルであって、（Ａ）前記外側シェルは、前記液体フィルタ部材と前記第２のヘッド部分の前記第２のシール面との間にシールリングが配置された状態で、前記フィルタヘッドに螺合自在に装着された、外側シェルと、
（ｉｉ）前記外側シェルの前記内部の中に配置されたフィルタカートリッジであって、（Ａ）前記フィルタカートリッジは、第１のエンドキャップと第２のエンドキャップとの間に延出する媒体を備え、（Ｂ）前記第１のエンドキャップが、中央開口部を有する開いたエンドキャップであって、軸方向外側へ突出するシールマウントを前記中央開口部の上に含み、（Ｃ）前記フィルタカートリッジは、前記軸方向外側へ突出するシールマウントに装着され、前記第１のヘッド部分の前記中央突起部の前記内側に向いたカートリッジシール面に対して密封されたシールを含むフィルタカートリッジと、
を備え、
（ｃ）前記第１のヘッド部分に配置された前記中央突起部は、媒体により取囲まれた場所で終端するために、前記フィルタカートリッジの前記開いたエンドキャップの前記中央開口部の中へ突出する導管部材を含む、
ことを特徴とする液体フィルタ構造。
【請求項３】
フィルタヘッドと液体フィルタ部材とプラスチック円板とを備える液体フィルタ構造であって、
（ａ）前記フィルタヘッドは、
（ｉ）液体流れ入口及び液体流れ出口を含む第１のヘッド部分と、
（ｉｉ）第１のねじ部分及び第２のシール面を含む外面を有する外側リングを備える第２のヘッド部分であって、（Ａ）前記第１のねじ部分が前記第２のシール面と前記第１のヘッド部分との間に軸方向に配置される、第２のヘッド部分と、
（ｉｉｉ）前記第２のヘッド部分により取囲まれ且つ前記第２のヘッド部分から半径方向内側に離間するように前記第１のヘッド部分に配置された中央突起部であって、（Ａ）前記中央突起部が内側に向いたカートリッジシール面を規定する、中央突起部と、
を含み、
（ｂ）前記液体フィルタ部材は、
（ｉ）内部を規定する側壁及び開いた端部を有する外側シェルであって、（Ａ）前記外側シェルは、前記液体フィルタ部材と前記第２のヘッド部分の前記第２のシール面との間にシールリングが配置された状態で、前記フィルタヘッドに螺合自在に装着された、外側シェルと、
（ｉｉ）前記外側ハウジングの前記内部の中に配置されたフィルタカートリッジであって、（Ａ）前記フィルタカートリッジは、第１のエンドキャップと第２のエンドキャップとの間に延出する媒体を備え、（Ｂ）前記第１のエンドキャップが、中央開口部を有する開いたエンドキャップであって、軸方向外側へ突出するシールマウントを前記中央開口部の上に含み、（Ｃ）前記フィルタカートリッジは、前記軸方向外側へ突出するシールマウントに装着され、前記第１のヘッド部分の前記中央突起部の前記内側に向いたカートリッジシール面に対して密封されたシールを含むフィルタカートリッジと、
を備え、
（ｃ）前記プラスチック円板は、前記フィルタヘッドと前記フィルタシェルの一端部との間に軸方向に配置され、
（ｉ）前記円板が、前記第１のヘッド部分に向かって半径方向内側に向いた第１の側部、及び、前記シェルに向かって半径方向外側に向いた第２の側部によって屈曲した傾斜面領域を有し、
（ｉｉ）前記第１のヘッド部分が前記円板に隣接する傾斜リング面を含み、
（ｉｉｉ）前記シェル端部が、前記第１のヘッド部分の前記傾斜リング部分とは反対の前記円板の側に、前記円板に隣接する傾斜先端部を含む、
ことを特徴とする液体フィルタ構造。
【請求項４】
（ａ）前記液体流れ入口から前記液体流れ出口までの直接の液体流れを選択的に可能にするために、前記フィルタヘッドの前記第１のヘッド部分に配置されたバイパス弁構造を含む、
ことを特徴とする請求項１乃至請求項３のいずれか１項に記載の液体フィルタ構造。
【請求項５】
（ａ）前記中央突起部は前記第１のヘッド部分に螺合自在に固着される、
ことを特徴とする請求項１乃至請求項４のいずれか１項に記載の液体フィルタ構造。
【請求項６】
（ａ）前記第１のヘッド部分及び前記第２のヘッド部分は金属であり、
（ｂ）前記中央突起部はプラスチックである、
ことを特徴とする請求項１乃至請求項５のいずれか１項に記載の液体フィルタ構造。
【請求項７】
（ａ）前記液体フィルタ部材はスピンオンフィルタアセンブリである、
ことを特徴とする請求項１乃至請求項６のいずれか１項に記載の液体フィルタ構造。
【請求項８】
（ａ）前記液体フィルタ部材は、
（ｉ）前記シェルであって、（Ａ）前記シェルは上部リップ及び閉鎖された底部を有するシェルと、
（ｉｉ）上方に折りたたまれている、前記シェルの前記上部リップを有する上板と、
（ｉｉｉ）前記第１のエンドキャップの外側領域が前記上板に当接し且つ前記上板と前記シェルの前記閉鎖された底部との間に配置されている前記フィルタカートリッジと、
を備えることを特徴とする請求項１乃至請求項７のいずれか１項に記載の液体フィルタ構造。
【請求項９】
（ａ）前記シェルは、前記上部リップから離間して配置された内側に向いた肩部を含み、
（ｂ）前記上板は、
（ｉ）前記シェルの前記リップと前記肩部との間に配置された内側ねじ部分を有する第１の領域と、
（ｉｉ）前記第１の領域から軸方向に延出する第２の領域であって、前記第２の領域の内側がシールリングを間に挟んで前記第２のヘッド部分と整列されている、第２の領域と、
（ｉｉｉ）前記上板と前記シェルの前記肩部との間に配置されたガスケットをその中に有するガスケット凹部と、
を含む、
ことを特徴とする請求項８に記載の液体フィルタ構造。
【請求項１０】
（ａ）前記上板は上方先端部及び前記第１の領域の外側部分を含み、
（ｉ）前記先端部が、前記第１の領域の前記外側部分に対して４０°以上７０°以下の角度を成して延出する面を有し、
（ｂ）前記シェルの前記上部リップは、４０°以上７０°以下の角度を成して延出する前記上板の前記先端部の面の上方に折りたたまれている、
ことを特徴とする請求項９に記載の液体フィルタ構造。
【請求項１１】
フィルタヘッドと液体フィルタ部材とを備える液体フィルタ構造であって、
（ａ）前記フィルタヘッドは、
（ｉ）液体流れ入口及び液体流れ出口を含む第１のヘッド部分と、
（ｉｉ）第１のねじ部分及び第２のシール部分を含む外面を有する外側リングを備える第２のヘッド部分であって、（Ａ）前記第１のねじ部分が前記第２のシール面と前記第１のヘッド部分との間に軸方向に配置される、第２のヘッド部分と、
（ｉｉｉ）前記第２のヘッド部分により取囲まれ且つ前記第２のヘッド部分から半径方向内側に離間するように、前記第１のヘッド部分に配置された中央突起部であって、（Ａ）前記中央突起部は内側に向いたカートリッジシール面を規定する、中央突起部と、
を含み、
（ｂ）前記液体フィルタは、
（ｉ）内部を規定する側壁及び開いた端部を有する外側シェルであって、（Ａ）前記液体フィルタ部材と前記第２のヘッド部分の前記第２のシール面との間にシールリングが配置された状態で、前記フィルタヘッドに螺合自在に装着された、外側シェルと、
（ｉｉ）前記外側シェルの前記内部の中に配置されたフィルタカートリッジであって、（Ａ）前記フィルタカートリッジは、第１のエンドキャップと第２のエンドキャップとの間に延出する媒体を備え、（Ｂ）前記第１のエンドキャップが、中央開口部を有し且つ軸方向外側に突出するシールマウントを前記中央開口部の上に含む、開いたエンドキャップであり、（Ｃ）前記フィルタカートリッジは、前記軸方向外側へ突出するシールマウントに装着され且つ前記第１のヘッド部分の前記中央突起部の前記内側に向いたカートリッジシール面に対して密封されたシールを含むフィルタカートリッジと、
を備え、
（ｃ）前記第１のヘッド部分及び前記第２のヘッド部分は金属であり、
（ｄ）前記中央突起部はプラスチックである、
ことを特徴とする液体フィルタ構造。
【請求項１２】
（ａ）前記中央突起部は、前記内側に向いたカートリッジシール面に対して半径方向反対側にあり且つ複数の軸方向リブを前記カートリッジシール面の上に有する外面部分を含む、
ことを特徴とする請求項１乃至請求項１１のいずれか１項に記載の液体フィルタ構造。
【請求項１３】
外側シェルと上板とフィルタカートリッジとを備える液体フィルタ部材であって、
（ａ）前記外側シェルは、内部を規定し、且つ、開いた端部、閉鎖された端部及び側壁を有し、
（ｉ）前記外側シェルは、前記開いた端部に隣接して内側に向いたリップを規定し、
（ｂ）前記上板は、前記リップに隣接して前記外側シェルの前記内部の中に配置され、前記上板は、内側ねじを有する第１の領域と、ねじ山が形成されない第２の領域とを含み、前記第１の領域が前記リップに隣接して配置され、
（ｃ）前記フィルタカートリッジは、前記上板と前記外側シェルの前記閉鎖された端部との間に配置され、
（ｉ）前記フィルタカートリッジは、第１のエンドキャップと第２のエンドキャップとの間に延出し且つ開いた内部を規定する媒体を含み、
（Ａ）前記第２のエンドキャップは、閉鎖され且つ前記シェルの前記閉鎖された端部に隣接して配置され、
（Ｂ）前記第１のエンドキャップは、前記媒体により規定される前記開いた内部と直接流れ連通する、前記第１のエンドキャップを貫通する中央開口部を有し、
（１）前記第１のエンドキャップは、シール部材が配置された軸方向外側へ突出するシール支持体を含み、
（２）前記第１のエンドキャップは、複数のスペーサを含み、前記スペーサは、ａ）前記第１のエンドキャップのその他の部分と前記外側シェルの前記側壁との間に複数の半径方向スペーサを規定し、且つ、ｂ）前記シール支持体から半径方向外側に配置された場所で、前記上板と前記第１のエンドキャップの一部との間に複数の軸方向スペーサを規定する、
ことを特徴とする液体フィルタ部材。
【請求項１４】
（ａ）前記シェルの前記側壁は、前記リップから離間して配置され内側に向いた肩部を含み、
（ｂ）前記上板は、前記リップと前記肩部との間に第１の領域がある状態で配置され、
（ｉ）前記上板は、前記シェルの前記閉鎖された端部に向かって前記第１の領域から突出する第２の領域を含む、
ことを特徴とする請求項１３に記載の液体フィルタ部材。
【請求項１５】
（ａ）前記上板の前記第１の領域は、外面と傾斜面を有する先端部とを含み、
（ｉ）前記傾斜面は、前記上板の前記第１の領域の前記外面に対して、４０°以上７０°以下の範囲内の角度で延出し、
（ｉｉ）前記シェルの前記リップは、前記上板の前記先端部の前記傾斜面の上方で折りたたまれている、
ことを特徴とする請求項１４に記載の液体フィルタ部材。
【発明の詳細な説明】
【技術分野】
【０００１】
本発明は、例えば、油圧油及び潤滑流体を濾過するために使用可能な液体フィルタ構造に関する。使用の際に保守可能なフィルタカートリッジ構造が配置されるフィルタヘッドが説明される。組立て方法及び使用方法も提供される。
【背景技術】
【０００２】
油圧油及び潤滑流体などの循環液体系は、通常、フィルタ構造を必要とする。通常、フィルタ構造は、フィルタ構造の内部に配置されたフィルタ媒体を通過することにより流体が濾過されるように配置される。通常、フィルタ構造は、媒体を含む構成要素が保守部部分部であるように、すなわち、媒体を定期的に取外し且つ交換できるように構成される。
【０００３】
一般に２種類の液体フィルタ構造がある。本明細書中においては、通常「スピンオン」型と呼ばれる第１の種類は、機器に設置されるフィルタヘッドと、スピンオンフィルタ部材又はカートリッジとを含む。フィルタ媒体を含むアセンブリは、通常、ねじ止めによりフィルタヘッドに固着されるため、フィルタ部材又はカートリッジは「スピンオン」と呼ばれる場合が多い。スピンオン構造においては、フィルタ媒体は、通常、ハウジング／媒体の組合せとしてシェル又はハウジングの内部に固着され、保守中、ハウジング／媒体の組合せ全体がフィルタ部材又はカートリッジとして取外され、交換される。
【０００４】
第２の一般的な種類の液体フィルタ構造は、本明細書中においてはボウル／カートリッジ構造と呼ばれる。ボウル／カートリッジ構造の場合にも、フィルタヘッドは機器に設置される。しかし、フィルタ媒体は、ハウジング又はシェルの内部に取外し自在に配置される形でフィルタカートリッジの内部に収納される。使用時、ハウジング／カートリッジの組合せは同様にフィルタヘッドに装着される。しかし、保守中、ハウジングはフィルタヘッドから取外され、ハウジング又はシェルの内部に収納されていた媒体が交換される。その後、交換用媒体が内部に収納された同一のシェル又はハウジングがフィルタヘッドに再び装着される。
【発明の開示】
【０００５】
本開示によれば、油圧油フィルタ構造又は潤滑剤（潤滑油）フィルタ構造などの液体フィルタ構造において実現できる多様な特徴及び技術が提供される。それらの技術のうち選択された技術はスピンオンフィルタ構造又はボウル／カートリッジフィルタ構造のいずれか、あるいは双方に適用可能である。
【０００６】
説明される技術は、フィルタヘッド及び／又はフィルタヘッドに取外し自在に装着されるフィルタ部材の一方又は双方に組込まれる特徴を含む。
【０００７】
所定のシステムにおいて少なくともいくつかの利点を得るために、本明細書中において説明される技術の全てをそのシステムに取入れる必要はない。
【発明を実施するための最良の形態】
【０００８】
［図面の説明］
図１の符号１は、本開示に係る液体フィルタアセンブリを全体として示す。液体フィルタアセンブリ１はフィルタヘッド２及びフィルタハウジング３を含む。フィルタヘッド２は、通常、油圧ライン又は潤滑流体（潤滑油）ラインなどの液体ライン中の機器に設置される。保守中、通常、フィルタヘッド２は機器の所定の場所に設置されたままである。
【０００９】
これに対し、フィルタ部材又はハウジング３は、フィルタヘッド２に取外し自在に装着されるフィルタ部材である。保守中、フィルタ部材又はハウジング３はフィルタヘッド２から取外されるので、保守はフィルタ部材又はハウジング３の内部に含まれる媒体の交換（ハウジング３の他の部分と共に交換されるか又は別個に交換される）により実行される。フィルタ部材又はハウジング３はスピンオン型又はボウル／カートリッジ型のいずれであってもよい。図１に示される特定のフィルタ部材又はハウジング３はスピンオン型３ａである。従って、保守中、フィルタ部材又はハウジング３全体が取外されて廃棄され、新しいフィルタ部材又はハウジング３と交換される。
【００１０】
本明細書中において、用語「フィルタハウジング３」は、一般に、フィルタヘッドに装着され、液体フィルタ構造を形成するために内部に媒体を含む種類のフィルタ部材又はアセンブリを表すものとする。用語「フィルタハウジング」は、特に、フィルタヘッドに装着された部材全体を表す。
【００１１】
本明細書中において、用語「上部」及び「下部」は場合によっては構成要素又は特徴の相対的な場所を表すために使用される。それらの用語が使用される場合、図１〜図３に示されるようなアセンブリ１の向きを参照するものとし、特に指示のない限り、それらの用語により更なる制限が加えられることはない。
【００１２】
図２の横断面図には中心長手方向軸７０が示され、その周囲にフィルタ部材３が配置される。本明細書中において使用される場合の用語「軸方向」及び「軸方向に」並びにそこから派生する用語は、一般に、ある特徴がほぼ軸７０の方向に延出していることを表すものとする。用語「半径方向」及び「半径方向に」並びにそこから派生する用語は、軸７０に向かう方向又は軸７０から離間する方向を表すものとする。
【００１３】
図１を参照すると、フィルタヘッド２は液体流れ入口５及び液体流れ出口６を含む。動作中、濾過される液体は入口５を経てフィルタヘッド２の中へ搬送される。その後、液体を濾過するために、液体はフィルタハウジング３を通過する。濾過された液体はフィルタヘッド２に戻され、出口６を経て排出される。
【００１４】
通常、フィルタヘッド２が設置される機器の液体ラインに固着するために、入口５は内側にねじ山を有し、出口６も内側にねじ山を有する。しかし、液体ラインへの別の態様の装着も使用可能である。
【００１５】
フィルタヘッド２は多様なオプション構造を含むことができる。符号１０は、オプションの固体センサ又は圧力スイッチを装着するための場所を示す。
【００１６】
符号１２は、第１の突起部１２ａ及び第２の突起部１２ｂを具備する周囲軸方向突起部構造を示す。周囲軸方向突起部構造は突起部１２ａ、１２ｂを具備する。突起部１２ａ、１２ｂは、フィルタハウジング３が装着された場合、フィルタヘッドに隣接するフィルタハウジング３の一部分３４と半径方向に整列した状態で（一部分３４と半径方向に隣接するが離間して）垂れ下がるようにフィルタヘッド２の外面２ｘから軸方向に（下方へ）延出する。周囲軸方向突起部構造１２は、保守中に、フィルタヘッド２にフィルタハウジング３を位置決めするのを助けるためのガイドとして機能する。更に、突起部構造１２はフィルタハウジング３の直径を端部３ａで制限するため、適正なフィルタはハウジング３を確実に装着するのに有用である。
【００１７】
言い換えれば、突起部構造１２は、通常、フィルタヘッド２の外面２ｘから、フィルタヘッド２に装着されたフィルタハウジング３の開いた端部（上部）３ｕの周囲に半径方向に規定され、且つ、端部３ｕから離間された位置まで下方へ突出する、複数の、すなわち、少なくとも２つの突起部１２ａ、１２ｂを具備する。通常、２〜８個の突起部１２ａ、１２ｂが使用されるが、場合によっては１つの突起部が使用されてもよい。
【００１８】
符号１３及び１４の場所に補助ポートが配置される。図１によるアセンブリの場合、それらのポートにはキャップがかぶせられてもよいが、それらのポートは別の機器と組合わせて使用されてもよい。
【００１９】
符号１５の場所には受け口が配置される。図示される例とは異なるフィルタヘッド２のいくつかの使用法においては、フィルタヘッド２の内側で、受け口１５はオプションの支持部材を受入れることができる。
【００２０】
典型的なシステムにおいては、以下に説明される選択された内部構成要素を除いて、フィルタヘッド２は、種々の特徴が追加された鋳造金属部分、例えば、鋳造アルミニウムから製造される。
【００２１】
次に図２に注目する。図２には、アセンブリ１の側面横断面図が示される。図２においては、使用可能な内部構成要素の一例が提供される。まず、フィルタヘッド２を参照すると、フィルタヘッド２の内部にバイパス弁アセンブリ２０が装着される。バイパス弁アセンブリ２０は、選択された状況の下でフィルタハウジング３を通過することなく、入口５から出口６へ直接に流れを流通させる。それらの状況は、入口５と出口６との間の圧力差がバイパス弁アセンブリを開放する圧力を上回るほどハウジング３内部の媒体が閉塞されてしまったような状況である。
【００２２】
バイパス弁アセンブリ２０は、弁棒２２の周囲に摺動自在に装着され且つシールリング２１ａにおいて弁棒２２に対して密封された弁頭２１を具備する。弁頭２１の大きさ、形状及び位置は、通常の設置中、ヘッド２において弁座２３に対する密封が実行されるように規定される。弁棒２２の周囲に配置され且つ弁頭２１を密封位置へバイアスをかけるバイアス部材２４、本例においてはコイルばね２４ａにより確実な密封が実現される。この例では、バイアスは流れ入口５に向かっている。入口５と出口６との間の動作圧力差がばね２４ａの開放力を上回る場合、弁頭２１は弁座２３から出口６に向かって移動又は摺動するので、液体は開いた開口部２７を通って流れる。
【００２３】
更に図２を参照すると、図示されるように、フィルタハウジング３は、外側シェル３０、内部に受入れられたフィルタカートリッジ３１及び上板３２を具備する。通常、外側シェル３０は金属構成要素から形成される。通常、上板３２は金属のリングであるが、別の構造も可能である。
【００２４】
一般に、シェル３０は、側壁３５、第１の遠い側の（底）端部３６（この例では閉鎖された端部３６ａ）及び反対側のフィルタヘッドに隣接する第２の開いた端部３７を具備する。図示されるこの例のシェル３０は、シール肩部３８及び上部リップ３９を含む。上板３２は、第１の（上部）部分３２ｕがリップ３９とシール肩部３８との間に固着され、且つ、第２の（下部）部分３２ｌが部分３２ｕからシェル端部３６に向かう方向に軸方向に垂れ下がる状態で配置される。
【００２５】
図２は概略図であり、いくつかのシール部材及びスペーサ部材の配置場所は図示されるが、それらの部材自体は図２に示されない。それらの部材は、以下に説明する図３の変形構造に関連して図示及び説明される。
【００２６】
更に図２を参照すると、上板３２は、それぞれ開いた中央部３２ｃの周囲に配置された第１の（上部）部分３２ｕ及び第２の（下部）部分３２ｌを含む。第１の（上部）部分３２ｕは、ヘッド２の軸方向に（下方へ）延出する支柱４１のねじ領域４０と係合する内側に向いた面、すなわち内面３２ｉを含む。特に、ヘッド２は、第１の（上部）領域４１ｕ及び第２の（下部）領域４１ｌを有する軸方向に（下方へ）突出する取付け支柱４１を含む。第１の（上部）領域４１ｕは、設置中、上板３２の第１の（上部）領域３２ｕと半径方向に整列し且つ係合するように位置決めされる。領域４１ｕ及び３２ｕの係合は、通常、図示されるようなねじ止め係合である。
【００２７】
第２の（下部）部分４１ｌは外側シール面４１ｏを含む。上板３２の第２の（下部）領域３２ｌは、設置中、領域４１０との間にｏリングシールのようなシールを形成しつつ領域４１ｏに重なり合う。図２の概略図にはｏリングは示されないが、図３の変形例においては、ｏリングは符号４３で示される。図２においては、シールは符号４２の場所に配置される。
【００２８】
更に図２を参照すると、シェル３０は内部３０ｉを規定し、内部３０ｉの中にフィルタカートリッジ３１が配置される。カートリッジ３１は、第２の（下部）エンドキャップ５１と第１の（上部）エンドキャップ５２との間に延出するように配置された媒体５０を具備する。媒体５０は、想定される特定のフィルタ動作及び条件に合わせて選択された多様な材料から製造されてよい。通常、フィルタ媒体５０はプリーツ形態で提供されるが、それに代わる構造も可能である。多様な種類又は形状の媒体又は媒体プリーツを使用できる。符号５３は、媒体５０の一体性及びプリーツの間隔を維持するのを助けるための媒体５０の周囲の接着剤ビードのコイルを示す。必要に応じて、媒体５０はプラスチック又はワイヤメッシュスクリーンによって被覆されてもよい。
【００２９】
媒体５０は開いた内部５５の周囲に内部５５を規定するように構成される。開いた内部５５の中には内部媒体支持体５６、この例では、エンドキャップ５１、５２の間に媒体５０に沿って延出し且つエンドキャップ５１、５２に固着された多孔質ライナから構成される支持体が配置される。図示される特定のライナ５６は、螺旋状に巻付けられ、縁部で係止されたルーバ付きライナ構造５６ａである。これに代わるライナ構造も可能である。
【００３０】
図示される例の場合、エンドキャップ５１は閉鎖されたエンドキャップ５１ａである。すなわち、エンドキャップは未濾過液体の通過を阻止する閉鎖された中央部５１ｃを有するが、これに代わる構造も可能である。媒体５０は、一般に、エンドキャップ５１に植え込まれるか又は接着される、あるいは、エンドキャップ５１は媒体５０の所定の場所に成形される。エンドキャップ５１には多様な材料を使用できる。通常、金属又はプラスチック材料が使用される。
【００３１】
用途によっては、エンドキャップ５１は貫通する開口部を有してもよい。未濾過液体がエンドキャップ５１を通って流れることにより媒体５０を迂回するという容認できない事態を避けるために、開口部は構造内部の他の構造により閉鎖（閉塞）される。
【００３２】
これに対し、エンドキャップ５２は、通常、キャップを貫通する中央流れ開口部５２ｏを規定する開いたエンドキャップである。開口部５２ｏは媒体５０の内部５５と直接流れ連通する状態で配置される。この場合の用語「直接流れ連通」は、媒体５０を通過する必要なく内部５５と流れ連通することが可能な流路を表すものとする。すなわち、内部５５の中にある液体は、同時に媒体を通過することなく、開口部５２ｏを通って直接流れることができる。当然、説明されるような「外から中に向かう」流れ構造に対する第１の例においては、媒体５０を通過しなければ液体は内部５５に到達しない。
【００３３】
前述のように、図示される特定のカートリッジ３１は、濾過中、外から中に向かって流れるように構成される。これは、未濾過の液体が（１）フィルタヘッド２から環状領域６０に入り、媒体５０を巡って側壁３５と媒体５０との間を流れ、（２）その後、媒体５０を通って内部５５に入り、支持体５６を通過するように搬送されることを意味する。この流れ方向は、液体が媒体５０を通って外から中へ流れる間に液体を濾過する。濾過済み液体はエンドキャップ５２の開口部５２ｏを通って上方へ搬送され、ヘッド２に戻され、その後、出口６を経て外へ排出される。
【００３４】
尚、本明細書中で説明される原理の多くは、濾過される液体の流れ方向が逆方向である「中から外に向かう」流れ構造、すなわち、液体が開口部５２ｏを通り、その後、内部５５から媒体５０を経て環状領域６０に入るような構造と関連して利用可能である。図２に示される特徴の多くは、必要に応じて、そのような流れに対して再構成可能である。必要な変更例は、バイパス弁アセンブリ２０の配置場所及び動作方向と、入口５及び出口６の流れ方向を反転させることである。
【００３５】
一般に、バイパス弁アセンブリ２０により調整される場合を除いて、液体流れがフィルタハウジング３を通って搬送される間に媒体５０を迂回するのを防止するために、カートリッジ３１とフィルタヘッド２との間にシール構造が必要とされる。そのようなシール構造は、カートリッジ３１のシール構造６５と、ヘッド２に装着されたシールアダプタ６６とにより構成される。
【００３６】
図示される特定のカートリッジ３１の場合、シール構造６５は、エンドキャップ５２から軸方向外側へ突出する剛性シールマウント６９を含む。ここで使用される場合の用語「外側へ」は、媒体５０から離間するような突出の方向を表すものとする。マウント６９はエンドキャップ５２のその他の部分と一体に形成（例えば、成形）される。
【００３７】
示されるこの例のマウント６９は、シール７６に対して装着スペース７５として機能する互いに離間して配置されたフランジ７３、７４により規定される溝を含むが、これに代わる構造も可能である。図示される特定の例においては、マウント６９は、シール７６が半径方向外側に向いた形態のシールであるように構成されるが、変形も可能である。図示される特定のシール７６は、ｏリング７６ａであるが、これに代わる構造も可能である。
【００３８】
シールアダプタ６６は、第１の（上部）装着部分６６ｕと、第２の（下部）シールリング６６ｌと、導管領域６６ｔとを含む。第１の（上部）領域６６ｕはヘッド２と装着係合するように配置される。図示される特定の例の場合、第１の（上部）領域６６ｕは、中央取付け支柱８０と螺合するための外側ねじ領域６７を有する。通常、シールアダプタ６６は、ヘッド２に装着された後は取外されないのが好ましい。従って、部分２、６６を一体に固着するために、螺合と組合わせて接着剤又は密封材を使用できる。
【００３９】
第２の（下部）シール領域６６ｌは、一般に、シール構造６５と係合するためのシール面を規定する。図示される例の場合、シールリング６６ｌは、受け口７６に配置されたｏリングと係合するための半径方向内側に向いたシール面、すなわち、内側シール面６６ｉを規定するが、これに代わる構造も可能である。この例のシール面６６ｉは円形のリング形状を有する。
【００４０】
シールアダプタ６６は多様な材料から製造可能である。通常の使用には、相対的に剛性のプラスチック材料が好都合である。
【００４１】
図４には、シールアダプタ６６が装着されているヘッド２の拡大横断面図が示される。アダプタリング６６の第１の（上部）領域６６ｕは、液体を流通させるための中央開口部８５を含むことがわかる。すなわち、液体はアダプタ６６に流入し、アダプタ６６を通過してヘッド２の液体出口６に到達できる。（中から外に向かう流れ動作においては、未濾過液体は開口部８５を通って流れる。）
第２の（下部）領域６６ｌの半径方向外側の面６６ｏは、複数の互いに離間して配置された突起部６６ｐを含む。突起部６６ｐは、通常、設置されたヘッド２において垂直に、すなわち、中心軸７０と平行に整列されるが、これに代わる構造も可能である。図４には、突起部６６ｐのうち２つの突起部を通る横断面が示される。突起部６６ｐは、密封面６６ｉとは反対の領域６６ｌの側において第２の（下部）領域６６ｌに強度を与える。更に、突起部６６ｐは、面６６ｏに対して密封をしようとするフィルタカートリッジの不適正な設置を抑止する働きもする。
【００４２】
更に図４を参照すると、アダプタ６６は、下部領域６６ｌからカートリッジ３１に向かって軸方向に（下方へ）突出する下縁部又は底縁部６６ｅを含み、下縁部又は底縁部６６ｅは、空隙６６ｇを挟んで互いに離間して配置された突起部６６ｔを具備する。空隙６６ｇは、カートリッジ３１の設置中に先端部又は縁部６６ｅが不適正な密封に使用されないように保証するのに有用である。
【００４３】
図示される例の場合、導管領域６６ｔは、動作中に領域５５から開口部８５へ液体を直接流すのを助ける内部（この例では、漏斗を逆さにした形状の）導管面６６ｓを規定する。更に、入口５からの液体を下方に環状領域６０（図２）へ直接濾過するために設けられた入口領域９０が、アダプタ６６と支柱４１との間に規定される。（内から外に向かう流れ動作の場合には、濾過済み液体は環状領域６０から領域９０に流入する。）
更に図４を参照すると、アダプタ６６は、フィルタヘッド２２の取付け支柱８０の先端部８０ｔと係合するために配置された（上部）肩部９２を含む。必要に応じて、この領域並びにねじ６７において密封材を使用できる。
【００４４】
プラスチックから成形される場合、アダプタ６６を補強するために符号６６ｒで示す場所に内側リブが設けられる。
【００４５】
図２において、いくつかの寸法の例は次のように規定される。ＡＡ＝１０１．６ｍｍ、ＢＢ＝２３８．２ｍｍ、ＣＣ＝３０１．７ｍｍ、及びＤＤ＝９３．８ｍｍ。図４において、いくつかの寸法の例は次のように規定される。ＢＡ＝１０１．６ｍｍ、ＢＢ＝９２．２ｍｍ、ＢＣ＝６０．８ｍｍ、及びＢＤ＝８３．４ｍｍ。これらの寸法により示される系は、通常、油圧フィルタ構造である。当然、異なる寸法も可能である。
【００４６】
次に図３に注目する。図３は、アセンブリ１を示す概略斜視横断面図である。尚、図３には、図２に示される内部構造とは異なる内部構造が示される。しかし、類似の動作を実行する選択された特徴は同じ符号により示される。
【００４７】
図３には、エンドキャップ５２の開口部５２ｏを貫通して、媒体５０、特に媒体端部５０ｅにより取囲まれる場所まで下方へ突出する中央管状延出部分９５を導管領域６６ｔに含むことにより一部変形されたアダプタ６６が示される。図示される例の場合、延出部分９５は、開口部５２ｏを貫通して、媒体端部５２ｅのみならず、エンドキャップ５２の内側リップ５２ｉによっても取囲まれる場所まで突出する。
【００４８】
この場合、リップ５２ｌが媒体５０と延出部分９５との間に存在するか否かに関わらず、延出部分９５は媒体５０により取囲まれる場所まで突出しているとして、又はそれに類似する用語により特徴付けられてもよい。内面９５ａは、図２の例において示されるような漏斗形状ではなく、内側補強リブ９６を含むほぼ円筒形の形状で示される。
【００４９】
更に図３を参照すると、エンドキャップ５２はスペーサ又はスペーサ構造１００を含む。スペーサ構造１００は、軸方向（垂直）スペーサ部分１０１及び半径方向（水平）スペーサ部分１０２を含む。スペーサ１００はエンドキャップ５２上で互いに離間して配置され、エンドキャップ５２と一体に形成される。通常、エンドキャップ５２上及びその周囲に２〜８個のスペーサ１００が配置される。
【００５０】
軸方向スペーサ部分１０１は、一般に、ハウジング３がヘッド２に設置された場合に支柱４１の下方先端部４１ｔと係合するように配置され、その係合により、カートリッジ３１の垂直方向の移動を抑止（調整）する。すなわち、軸方向スペーサ部分１０１は、設置中、支柱４１とエンドキャップ５２のその他の部分との間に位置決めされる。先端部４１ｔとエンドキャップ５２のスペーサ１０１との係合は、シールマウント１００の周囲にシールマウント１１０から離間されたエンドキャップ５２の外側端部領域において起こる。
【００５１】
半径方向部分１０２は、一般に、カートリッジ３１の中心を側壁３５の内側に合わせて位置決めする働きをする。すなわち、部分１０２は、一般に、設置中、シェル３０及びエンドキャップ５２のその他の部分とカートリッジ３１との間に位置決めされる。
【００５２】
図３に示される特定の例の場合、シール構造６５は変形されているが、ｏリング７６を堅固に支持するために、軸方向外側に向いた剛性のシールマウント部分１１０を同様に具備する。
【００５３】
次に図５に注目する。図５は、図３の一部分の拡大部分図である。図５を参照すると、上述で特徴付けられたか又は参照されたいくつかの特徴が示される。第１に、上板３２の下部領域３２ｌ上に支持され、ハウジング３がフィルタヘッド２に装着された場合に取付け支柱４１の下部領域４１ｌの周囲にシールを形成するシール部材１２０が示される。
【００５４】
第２に、取付け板３２と肩部３８との間に配置され、側壁３５と上板３２との間を密封するガスケット１２１が示される。この場所における密封には別の方法も使用できるが、ガスケット３８（上板シール凹部又は肩部３２ｓの下方、側壁肩部３０ａの上方に配置される）は、幾分か半径方向、幾分か軸方向の向きを有するシールに対して設けられ、好都合である。
【００５５】
ガスケット１２１におけるシールは、図示されるように、上板３２の上部又は先端部３２ｕにかぶさるように折りたたまれた（曲げられた）端部（上部）リップ３９を側壁３５に設けることにより容易になる。図示される例のリップ３９は、典型的には少なくとも３０(、多くの場合に少なくとも４０(、通常は７０(以下、好ましくは４５(〜６０(の範囲内の角度ｘを成すように、上板の上面３２ｓの上に折りたたまれているが、これに代わる構造も可能である。上部領域３２の外面１２５に対して、上板３２ｕの上面３２ｓにも同様の角度が規定される。これはガスケット１２１の固着に好都合であると共に、この場所において上板３２と側壁３５との接合部がゆるむのを防止する。
【００５６】
図５を参照すると、符号１３０は、側壁３５のリップ３９と肩部１３２及びヘッド２との間に配置されたスペーサリングを示す。ハウジング３をヘッド２に装着する間に金属同士の端部係合が起こらないようにするために、スペーサリング１３０は成形プラスチック材料から製造される。スペーサ１３０が確実に係合するまで、ハウジング３は支柱４１にねじ止めされる。エンドストッパとして金属同士の接触を防止するように、通常、スペーサ１３０はプラスチック材料から製造される。これは、シール及び上板３２とハウジング側壁３５との境界面に対する損傷のリスクが少なく、ハウジング３の支柱４１への螺合を確実に係合するまで実行できることを意味する。また、リング１３０は、上板３２と支柱４１との螺合を塵芥が妨げるのを防止する。
【００５７】
肩部１３２は、第１の（上部）外側リング１３２ｏ、中央傾斜面１３２ｃ及び第２の（下部）内側部分３２ｉの３つの部分を含む。横断面で見ると、それらの部分は、一般に、開いたｚの形状を規定する。この場合に使用される用語「開いた」は、図５の角度ｙ及びｚがそれぞれ９０(より大きいことを表すものとする。規定される形状は、リング１３０に対して好都合な係合面を提供すると同時に、リップ３９に対応する。
【００５８】
図６及び図７にはリング３９が示される。図６は斜視図であり、図７は横断面図である。
【００５９】
図６を参照すると、リング３９は、リングから延出する垂直（軸方向）突起部１４０を含む。装着時にリング３９が回転するのを抑止するために、突起部１４０はヘッド２の対応する凹部領域に嵌合する。
【００６０】
更に図６を参照すると、リング３９は、互いに離間して配置された内側に向いた（半径方向）突起部１４１を含む。それらの突起部１４１は、装着後、ヘッド２の凹部と係合して、リング３９を所定の位置に固着するのを更に助ける。
【００６１】
図７の横断面図を参照すると、一般に、リング３９は、外側リング１４３及び内側リング１４４を含み、それらのリングの間に傾斜領域１４５がある。傾斜領域は、外面（図１〜図３に従って装着された場合、下面）１４５ａと、内側傾斜面（図１〜図３に従って装着された場合、上向きの傾斜面）１４５ｂとを含む。面１４５ｂは、面１３２ｃ、１４５と係合するような向きに規定される。面１４５ｂとは反対の側にある面１４５ａは、図５のリップ３９と係合するような向きに規定される。リング１４３、部分１４５及びリング１４４との間の関係は、上述で特徴付けられたような開いたｚ形状である。尚、面１４５ｂの複数の部分は突起部１４０により遮断される。
【００６２】
図２及び図３を参照すると、それぞれの例で、本明細書中ではＤＳ（シール直径）と呼ばれるエンドキャップ５２とシール面６６ｉとの間のシールのシール直径は、シールの場所がエンドキャップ５２をまたいで媒体５０の内面５０ｉと外面５０ｏとの間で離間して位置するように定められる。通常、シールの場所は、面５０ｏ及び５０ｉの各々から、媒体の内面５０ｉと媒体の外面５０ｏとの距離の少なくとも１０％、通常は少なくとも１５％の距離だけ離間している。
【００６３】
典型的な構造においては、エンドキャップ５２の露出面に対して作用する上流側圧力Ｐｕが、エンドキャップの露出面に対して同様に作用する下流側圧力Ｐｄにより与えられる軸方向に向いた力に関して平衡状態にある場合、エンドキャップ５２に対して軸方向圧力平衡が保たれる場所に配置される理論上のシールのシール直径をＤｂとするとき、シールの場所Ｄｓは０．８５〜１．１５Ｄｂ（典型的には０．９〜１．１Ｄｂ、多くの場合に０．９３〜１．０７Ｄｂ、通常は０．９５〜１．０５Ｄｂ）の場所である。プリーツ構造に関してＤｂを計算する方法は、例えば、それぞれ引用することによって、その内容をここに合体する２００５年４月４日出願のＰＣＴ／ＵＳ２００５／０１１２５６号及び２００５年４月４日出願の米国特許出願第１１／０９８，２４２号に記載されている。
【００６４】
そのようなシールの場所により得られる利点は、フィルタカートリッジ３１の材料の選択が容易になることである。
【００６５】
［概要考察］
全体的に言うと、本開示により、液体フィルタ構造が提供される。液体フィルタ構造は、液体流れ入口及び液体流れ出口を有する第１のヘッド部分と、第１のねじ部分及び第２のシール面を含む外面を有する外側リング突起部を具備する第２のヘッド部分とを含むフィルタヘッドを含む。第１のねじ部分は、第２のシール面と第１のヘッド部分との間に軸方向に配置される。すなわち、図１〜図３に示される向きの場合、第１のねじ部分は第２のシール面の上方に配置される。
【００６６】
第１のヘッドは、第２のヘッド部分により取囲まれ且つ第２のヘッド部分から半径方向内側に離間して配置された第１のヘッド部分に配置された中央突起部を含む。中央突起部は、通常は円形又はリング状の外周を規定するカートリッジシール面を規定する。通常、カートリッジシール面は、半径方向内側に向いているが、説明される原理のうちいくつかは逆の向きのシール面と組合わせても実現可能である。
【００６７】
典型的な例においては、第１のヘッド部分及び第２のヘッド部分は、鋳造金属フィルタヘッドの一部として互いに一体である。また、中央突起部は、例えば、プラスチックから成形されるか又は金属から製造され、ねじ結合などを介してフィルタヘッドに装着された別個の部材である。
【００６８】
通常、液体フィルタ構造は、液体フィルタ部材、すなわち、保守可能なフィルタ構造を更に含む。液体フィルタ部材は、通常、内部を規定する側壁及び開いた端部を有する外側シェルを含む。通常、開いた端部とは反対の側に閉鎖された端部が更に存在する。外側シェルは、通常、液体フィルタ部材とフィルタハンドルとの間にシールリングが配置される状態でフィルタヘッドにねじ止めにより装着される。図示される例においては、シールは外側シェルの内側に固着された上板と、第２のヘッド部分の第２のシール面との間に配置される。
【００６９】
フィルタカートリッジはシェルの内部の中に配置される。カートリッジは、第１のエンドキャップと第２のエンドキャップとの間に延出する媒体を具備し、エンドキャップは金属又はプラスチックであってもよい。第１のエンドキャップは、中央開口部を有する開いたエンドキャップである。第１のエンドキャップは、軸方向外側へ突出し且つ通常は剛性であるシールマウントを含む。この場合に使用される用語「外側へ突出する」は、シールマウントが媒体から離間する方向へ突出することを意味する。フィルタカートリッジは、軸方向外側へ突出するシールマウントに装着されたシールを含む。通常、シールは、マウントの周囲に配置され且つ第１のヘッド部分の中央突起部の内側に向いたカートリッジシール面に当接して密封するような向きに規定された外側半径方向シールとして配置される。
【００７０】
そのような構造と共に使用可能な多様な特徴が説明される。例えば、フィルタヘッドには、フィルタヘッドの外面に固着され、液体フィルタ部材の外側シェルに半径方向に隣接するが外側シェルから離間した場所まで突出するように向きを規定された少なくとも１つの周囲ガイド突起部が設けられる。
【００７１】
図３に示される例においては、第１のヘッド部分に配置された中央突起部は、フィルタカートリッジの開いたエンドキャップの中央開口部の中へ突出し且つ媒体により取囲まれる場所で終端する導管部材を含む。図３に示される例においては、媒体とこの導管部材との間にエンドキャップの一部分が位置している。
【００７２】
図示される例においては、フィルタヘッドとフィルタシェルの一端部との間に軸方向にプラスチック円板が配置される。プラスチック円板の好適な構成が示される。プラスチック円板は、第１のヘッド部分に向かって半径方向内側に向いている第１の側部と、シェルに向かって半径方向外側に向いている第２の側部とを含む屈曲した実際の傾斜面領域を有する。図示される例においては、第１のヘッド部分は、円板に隣接して傾斜面を含み、シェルは、第１のヘッド部分の傾斜リング部分とは反対の円板の側に円板に隣接する傾斜した先端部又はリップを含む。
【００７３】
図には、液体流れ入口から液体流れ出口までの直接液体流れを選択的に可能にするために、フィルタヘッドの第１のヘッド部分に配置されたバイパス弁構造が示される。ここで使用される場合の用語「直接」は、バイパス弁が、適切な条件の下で、液体をフィルタ部材、特にフィルタ部材の内部にあるフィルタカートリッジを通さずに、液体流れ入口から液体流れ出口まで流通させることを意味する。
【００７４】
説明される例においては、液体フィルタ部材はスピンオンフィルタアセンブリである。しかし、説明される原理の多くは、液体フィルタ部材としてのボウル／カートリッジフィルタ構造と組合わせても適用できる。
【００７５】
先に説明された概要と共に使用可能な液体フィルタアセンブリの詳細な特徴も提供される。
【図面の簡単な説明】
【００７６】
【図１】本開示に係るフィルタ部材が装着されたフィルタヘッドを具備するフィルタアセンブリを示す図である。
【図２】図１に示されるアセンブリの概略横断面図である。
【図３】図１に示されるアセンブリの別の変形例を示す概略斜視横断面図である。
【図４】図１に示されるアセンブリのフィルタヘッド構成要素を図２に示される形態で示す拡大横断面図である。
【図５】図３に示される横断面の一部を示す拡大部分図である。
【図６】図１のアセンブリにおいて使用される構成要素を示す拡大斜視図である。
【図７】図６に示される構成要素の横断面図である。
【図１】
2009515699.tif 000003
【図２】
2009515699.tif 000004
【図３】
2009515699.tif 000005
【図４】
2009515699.tif 000006
【図５】
2009515699.tif 000007
【図６】
2009515699.tif 000008
【図７】
2009515699.tif 000009
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
フィルタヘッドとシールアダプタと液体フィルタ部材とを備える液体フィルタ構造であって、
（ａ）前記フィルタヘッドは、
（ｉ）液体流れ入口及び液体流れ出口とを含む第１のヘッド部分と、
（ｉｉ）第１のねじ部分及び第２のシール面を含む外面を有する外側リングを備える第２のヘッド部分であって、（Ａ）前記第１のねじ部分が前記第２のシール面と前記第１のヘッド部分との間に配置される、第２のヘッド部分と、
を含み、
（ｂ）前記シールアダプタは、第１の上部装着部分と、第２の下部シールリングと、導管領域とを有し、
（ｉ）前記第１の上部装着部分は、外側ねじ領域と前記外側ねじ領域を貫通する開口部とを有し、
（ｉｉ）前記第２の下部シールリングは、半径方向内側に向いたシール面を規定し、
（ｉｉｉ）前記導管領域は、漏斗を逆さにした形状の内側導管面を有し、
（ｉｖ）前記シールアダプタの前記第１の領域は、前記シールアダプタの少なくとも一部が前記第２のヘッド部分により取囲まれ且つ前記第２のヘッド部分から内側に離間する位置で、前記フィルタヘッドに螺合自在に装着されており、
（ｃ）前記液体フィルタ部材は、
（ｉ）内部を規定する側壁及び開いた端部を有する外側シェルであって、（Ａ）前記液体フィルタ部材と前記第２のヘッド部分の前記第２のシール面との間にシールリングが配置された状態で、前記フィルタヘッドに螺合自在に装着された、外側シェルと、
（ｉｉ）前記外側シェルの前記内部の中に配置されたフィルタカートリッジであって、（Ａ）前記フィルタカートリッジは、第１のエンドキャップと第２のエンドキャップとの間に延出する媒体を備えて、開放された内部を取囲み、（Ｂ）前記第１のエンドキャップが、中央開口部を有し且つ軸方向外側に突出するシールマウントを含む、開いたエンドキャップであり、（Ｃ）前記フィルタカートリッジは、前記軸方向外側へ突出するシールマウントに装着され且つ前記第２のシールリングの前記内側に向いたカートリッジシール面に対して密封された前記シールアダプタのシールを含むフィルタカートリッジと、
を備え、
（ｄ）前記アダプタ導管領域の前記漏斗を逆さにした形状の導管面は、液体が前記フィルタカートリッジの前記開放された内部から前記シールアダプタの前記第１の領域の前記開口部に向かうように配置されている、
ことを特徴とする液体フィルタ構造。
【請求項２】
前記第２のエンドキャップは、閉じられたエンドキャップである
ことを特徴とする請求項１に記載の液体フィルタ構造。
【請求項３】
（ａ）前記液体流れ入口から前記液体流れ出口までの直接の液体流れを選択的に可能にするために、前記フィルタヘッドの前記第１のヘッド部分に配置されたバイパス弁構造を含む、
ことを特徴とする請求項１又は請求項２に記載の液体フィルタ構造。
【請求項４】
（ａ）前記液体フィルタ部材はスピンオンフィルタアセンブリである、
ことを特徴とする請求項１に記載の液体フィルタ構造。
【請求項５】
（ａ）前記液体フィルタ部材は、
（ｉ）前記シェルであって、（Ａ）前記シェルは上部リップ及び閉鎖された底部を有するシェルと、
（ｉｉ）上方に折りたたまれている、前記シェルの前記上部リップを有する上板と、
（ｉｉｉ）前記第１のエンドキャップの外側領域が前記上板に当接し且つ前記上板と前記シェルの前記閉鎖された底部との間に配置されている前記フィルタカートリッジと、
を備えることを特徴とする請求項１に記載の液体フィルタ構造。
【請求項６】
（ａ）前記シェルは、前記上部リップから離間された内側に向いた肩部を含み、
（ｂ）前記上板は、
（ｉ）前記シェルの前記リップと前記肩部との間に配置された内側ねじ部分を有する第１の領域と、
（ｉｉ）前記第１の領域から軸方向に離れて延出する第２の領域であって、前記第２の領域の内側がシールリングを間に挟んで前記第２のヘッド部分と整列されている、第２の領域と、
（ｉｉｉ）前記上板と前記シェルの前記肩部との間に配置されたガスケットをその中に有するガスケット凹部と、
を含む、
ことを特徴とする請求項５に記載の液体フィルタ構造。
【請求項７】
（ａ）前記上板は上部先端部及び前記第１の領域の外側部分を含み、
（ｂ）前記シェルの前記上部リップは、４０°以上、７０°以下の角度を成して延出する前記上板の前記先端部の面の上方に折りたたまれている、
ことを特徴とする請求項６に記載の液体フィルタ構造。
【請求項８】
外側シェルと上板とフィルタカートリッジとを備える液体フィルタ部材であって、
（ａ）前記外側シェルは、内部を規定する側壁と、開放された端部と、閉鎖された端部とを有し、
（ｉ）前記外側シェルは、内側のリップを含み、
（ｂ）前記上板は、上方に折りたたまれている前記外側シェルの前記内側のリップを有し、
（ｃ）前記フィルタカートリッジは、前記外側シェルの内部に配置され、
（ｉ）前記フィルタカートリッジは、第１のエンドキャップと第２のエンドキャップとの間に延出する媒体を含み、
（ｉｉ）前記第1のエンドキャップは、中央開口部を有する開放されたエンドキャップであって、軸方向外側に突出するシールマウントをその上に含み、
（Ａ）前記フィルタカートリッジは、前記軸方向外側へ突出するシールマウントに装着され、フィルタヘッドと外側に向いた軸方向シールを形成するように構成されたシールを含み、
（Ｂ）前記シールサポートは、あるシール直径を形成する場所で前記シールを支持するように配置され、前記シールの場所は、前記第１のエンドキャップをまたいで前記媒体の内側と前記媒体の外側との間で、前記媒体の前記内側と前記媒体の前記外側との間の距離の少なくとも１０％の距離だけ離間しており、
（ｉｉｉ）前記第１のエンドキャップは、前記上板と前記外側シェルの閉鎖された底部との間で前記上板に対向して位置する外側の領域を有し、
（ｉｖ）前記第２のエンドキャップは閉鎖されている、
ことを特徴とする液体フィルタ部材。
【請求項９】
前記媒体はプリーツされ、前記媒体の前記内側はプリーツ先端部を備え、前記媒体の前記外側はプリーツ先端部を備える、
ことを特徴とする請求項８に記載の液体フィルタ部材。
【請求項１０】
（ａ）前記上板は、上部先端部と前記第１の領域の外側部分とを含み、
（ｉ）前記先端部は、前記第１の領域の前記外側部分に対して４０°以上、７０°以下の角度で延出する表面を有し、
（ｂ）前記シェルの前記上部先端部は、４０°以上、７０°以下の角度で延出する前記上板先端部の前記表面上に折りたたまれている、
ことを特徴とする請求項８に記載の液体フィルタ部材。
【請求項１１】
（ａ）前記シェルは、前記上部リップから離間され内側に向いた肩部を含み、
（ｂ）前記上板は、
（ｉ）前記シェルの前記リップと前記肩部との間に配置された内側ねじ部分を有する第１の領域と、
（ｉｉ）前記第１の領域から軸方向に離れて延出する第２の領域であって、前記第２の領域の内側がシールリングを間に挟んで前記第２のヘッド部分と整列されている、第２の領域と、
（ｉｉｉ）前記上板と前記シェルの前記肩部との間に配置されたガスケットをその中に有するガスケット凹部と、
を含む、
ことを特徴とする請求項８に記載の液体フィルタ部材。
【国際調査報告】
2009515699.tif 000010
2009515699.tif 000011
2009515699.tif 000012
2009515699.tif 000013
2009515699.tif 000014